(57)【要約】【課題】  昇華転写に代え、インクジェット方式を採用し、面ファスナーの機能を保ち、印刷精度の高い着色を施さんとする。【解決手段】  面ファスナー５の係合素子７を有する表面にインクジェット印写２を行い、密閉空間において無圧力で熱処理３を行い、色素の発色固定を行うことを特徴とする。【選択図】  図２
2005046410.tif 000002
【特許請求の範囲】
【請求項１】
面ファスナーの係合素子を有する表面にインクジェット印写を行い、密閉空間において無圧力で熱処理を行い、色素の発色固定を行うことを特徴とする面ファスナーの印刷方法。
【請求項２】
面ファスナーにはインクを受け取り保持する糊層を有する前処理が施されている請求項１記載の面ファスナーの印刷方法。
【請求項３】
熱処理は面ファスナーの係合素子を下向きにして行う請求項１又は２記載の面ファスナーの印刷方法。
【請求項４】
密閉空間を、上下に対向し互いの間隔を調節可能な上コテと下コテ、及び上・下コテ間の周囲を閉鎖する周壁で形成した請求項１、２又は３記載の面ファスナーの印刷方法。
【請求項５】
上コテが加熱手段を有し、上コテに面ファスナーの基布の裏面を当着し、面ファスナーの係合素子先端が下コテに近接するように上・下コテを位置決めして加熱処理を行う請求項４記載の面ファスナーの印刷方法。
【請求項６】
下コテにアンダーペーパーを敷設した請求項５記載の面ファスナーの印刷方法。
【請求項７】
上コテの加熱温度が２００℃で約２分間加熱処理する請求項５又は６記載の面ファスナーの印刷方法。
【発明の詳細な説明】
【技術分野】
【０００１】
本発明は、面ファスナーの係合素子面の印刷方法に関するものである。
【背景技術】
【０００２】
面ファスナーは基布の表面に多数のフック又はその同効物の係合素子を有する雄面ファスナーと、基布の表面に多数のループ又はその同効物の係合素子を有する雌面ファスナーとの組み合わせや、雌雄の係合素子が混在した雌雄同一タイプの面ファスナー等がある。    
【０００３】
面ファスナーは被服類、かばん類、靴、その他広範囲な用途の締着具として使用され、その使用製品の色彩の多様化に伴って、面ファスナー自体にも積極的に着色したものが望まれているのである。
【０００４】
そこで、面ファスナーにおいて、予め染色されていないか、或いは一色に染色された面ファスナーを生産しておき、顧客の要望に応じ、後で異なる色へ染色することが行われている。
【特許文献１】特開２０００ー１５４４８０
【発明の開示】
【発明が解決しようとする課題】
【０００５】
上記のように、従来の面ファスナーの彩色は全体を一色に着色するものであって、任意の模様を着色（印刷）するものではなかった。
又、任意模様の印刷は一般的な方法として昇華転写方法を採用できる。しかし、この方法では印刷面を加圧熱処理して模様を転写するため、面ファスナーの表面の係合素子が倒れて影響を受け、係合力が低下して機能を損なうこと、係合素子が妨げとなって起布への転写精度が低下すること等が問題となる。
【０００６】
そこで、本発明は昇華転写に代え、インクジェット方式を採用し、面ファスナーの機能を保ち、印刷精度の高い着色を施さんとするものである。
【課題を解決するための手段】
【０００７】
本発明の面ファスナーの印刷方法は、面ファスナーの係合素子を有する表面にインクジェット印写を行い、密閉空間において無圧力で熱処理を行い、色素の発色固定を行うことを特徴とするものである。
【０００８】
インクジェットによる印写は、起立した通常の状態での係合素子及び基布表面にインクが吹き着けられ、無圧力で熱処理を行うことにより係合素子に外圧がかからず、インクの付着位置が変化することもなく、更に密閉空間での熱処理は熱効率の良いものとなる。
【０００９】
請求項２の発明は、面ファスナーにインクを受け入れ保持する糊層を設けておくもので、インクの付着、保持が良好となり、鮮明な印刷を得られる。
又、請求項３の発明は、熱処理は面ファスナーの係合素子を下向きにして行うことを特徴とし、係合素子のインクが基布に移ってボケや滲みの発生を防止することができ、係合素子は互いに独立した状態であるから、他の係合素子へインクが移ることもない。
【００１０】
請求項４の発明は、密閉空間を、上下に対向し互いの間隔を調節可能な上コテと下コテ、及び上・下コテ間の周囲を閉鎖する周壁で形成したものでり、既存の平型熱処理機を利用できるものである。
請求項５の発明は、上コテが加熱手段を有し、上コテに面ファスナーの基布の裏面を当着し、面ファスナーの係合素子先端が下コテに近接するように上・下コテを位置決めして加熱処理を行う加熱手段を有する上コテに基布の裏面を当着することで係合素子を下向きの位置に係止でき、かつ基布を直接加熱処理できるものである。
【００１１】
請求項６の発明は、下コテにアンダーペーパーを敷設し、係合素子の余分なインクの滴下を受けるものである。
そして、請求項７の発明は、上コテの加熱温度を２００℃として約２分間の加熱処理を行うのが好ましいものである。
【発明の効果】
【００１２】
本発明によれば、面ファスナーの係合素子に外圧等をかけることなく、通常の状態のままで印刷及び熱処理を行えるため、係合素子の形態に僅かの変化も与えず、係合機能を保持できる効果を有するのである。
そして、基布及び係合素子にもインクが付着し、かつ係合素子が起立した通常の自然状態でインクを受けるものであるため、係合素子の全体にインクが付着して鮮明な印刷となる効果がある。
【００１３】
又、係合素子は各自独立しているため、他の係合素子へのインクの移りがなく、加熱処理時に係合素子を下向きにすることで基布への滲み等も防止し、熱が伝わりにくい基布を直接加熱することで効率よく処理でき、精度の高い印刷となるものである。
【００１４】
更に、前処理として糊層を面ファスナーに設けることはインクの付着・保持を良好とし、加熱処理にコテを利用する場合、下コテにアンダーペーパーを敷設してインクの滴下に対応する効果を発揮するものである。
【発明を実施するための最良の形態】
【００１５】
次に、本発明を実施するための最良の形態を図面に基づいて説明する。
図１は、本発明の一実施の形態を示す工程図であり、基本的には面ファスナーの前処理工程１、インクジェット印写工程２、熱処理工程３及び後処理工程４より成る。
【００１６】
前処理工程１は面ファスナー５の表面に糊層６を設け、インクの滲みや浸透性を抑制し、鮮明な印刷を施すものであり、糊剤としてはデンプン類、水溶性のセルロース誘導体、ガム類、水溶性タンパク、水溶性の合成高分子化合物等を適宜選択でき、必要により固着促進剤を加えてもよい。
糊層の付与は、係合素子への影響を避けるため浸漬法やスプレー法が妥当である。
【００１７】
インクジェット印写工程２は、染料を含んだインク１４をインクジェット印写装置を用いて記憶情報に従ってノズルより吐出して印写するのであり、インク１４の吐出には圧力パルス型、加圧振動型、静電加速型等の方法があるが適宜選択すればよい。
又、インク色素も直接染料、酸性染料、塩基性染料、分散染料、蛍光染料等があり、基布や係合素子の素材により選択すればよく、必要に応じて分散剤や消泡剤を適宜添加する。
【００１８】
熱処理工程３は色素を発色固着するために行うものであり、通常は被処理物を挾持して加圧しながら行われている。
本発明においては、面ファスナー５の係合素子７に変形等が生じないように無圧力で熱処理を行うものである。
【００１９】
図２は平型昇華転写プレス８を利用したものであり、昇降可能な上コテ９と固定の下コテ１０より構成し、上コテ９に加熱手段（図示せず）が設けられ、下コテ１０との対向面が加熱昇温するものである。
【００２０】
面ファスナー５は基布１１を上コテ９に接着テープ等で係合素子７を下向きに垂下する恰好で仮着し、係合素子７の先端が下コテ１０の対向面に近接する間隔に上・下コテ９、１０を位置決めして熱処理するものであり、下コテ１０にはアンダーペーパー１２が敷設してある。
又、上・下コテ９、１０の周囲には位置決め時における上・下コテ９、１０の空間を被覆閉鎖し、熱の流出を阻止する周壁１３を上コテ９又は／及び下コテ１０に付設して密閉空間を形成するものである。
【００２１】
上コテ９の加熱は表面温度で１８０℃〜２２０℃程度がよく、２００℃で約２分間の熱処理が最適であった。
そして、インクが基布１１及び係合素子７に固着した後、未固着のインク、助剤、糊等を完全に洗い落とす洗浄処理が後処理工程４として行われる。
【００２２】
その結果、基布１１及び係合素子７に面ファスナーの機能が保たれている品位の良い印刷を施せるものである。
【図面の簡単な説明】
【００２３】
【図１】本発明の工程を示すブロック図である。
【図２】熱処理工程の一実施の形態を示す縦断正面図である。
【図３】図２の下コテの平面図である。
【符号の説明】
【００２４】
１  前処理工程
２  インクジェット印写工程
３  熱処理工程
４  後処理工程
５  面ファスナー
６  糊層
７  係合素子
８  平型昇華転写プレス
９  上コテ
１０  下コテ
１１  基布
１２  アンダーペーパー
１３  周壁
１４  インク
【図１】
2005046410.tif 000003
【図２】
2005046410.tif 000004
【図３】
2005046410.tif 000005